(57)【要約】【課題】室内における天井から垂下した長尺状の支持体を非常にシンプルな構造と操作で昇降する支持装置を提供する。【解決手段】天井に固着され、直線上に配置される２つ以上の第１天井固定部材２ａ，２ｂと、それぞれの第１天井固定部材２ａ，２ｂに連結し、第１紐状体４ａ，４ｂを介して対象物を支持するための長尺体５の両端部近傍を当該長尺体５が水平状態を維持するように保持する第１保持部３ａ，３ｂと、垂下された第１紐状体４ａ，４ｂの第１保持部３ａ，３ｂから長尺体５までの長さを調整する第１調整部６を備える。また、第１紐状体４ａ，４ｂの一端が長尺体５に接続し、他端が第１保持部３ａ，３ｂのリールを介して第１調整部６に接続している。【選択図】図１
0003225289.tif 000002
【実用新案登録請求の範囲】
【請求項１】
天井に固着され、直線上に配置される２つ以上の第１天井支持部と、
それぞれの前記第１天井支持部に連結し、第１紐状体を介して対象物を支持するための長尺体の両端部近傍を当該長尺体が水平状態を維持するように保持する第１保持部と、
垂下された前記第１紐状体の前記第１保持部から前記長尺体までの長さを調整する第１調整手段を備えることを特徴とする支持装置。
【請求項２】
請求項１に記載の支持装置において、
前記第１紐状体の一端が前記長尺体に接続し、他端が前記第１保持部のリールを介して前記第１調整手段に接続している支持装置。
【請求項３】
請求項１又は２に記載の支持装置において、
天井に固着され、前記第１天井支持部が配置される第１直線に平行な第２直線上に配置される２つ以上の第２天井支持部を備え、
それぞれの前記第２天井支持部が、前記第１直線と前記第２直線との間の最短距離の長さ以下に設定された第２紐状体で前記長尺体を支持する支持装置。
【請求項４】
請求項１ないし３のいずれかに記載の支持装置において、
天井に固着され、前記第１天井支持部が配置される第１直線に平行な第２直線上に配置される２つ以上の第２天井支持部と、
それぞれの前記第２天井支持部に連結し、前記第２紐状体を介して前記長尺体を保持する第２保持部と、
垂下された前記第２紐状体の前記第２保持部から前記長尺体までの長さを調整する第２調整手段を備える支持装置。
【考案の詳細な説明】
【技術分野】
【０００１】
本考案は、天井から昇降自在に垂下する長尺体で対象物を支持する支持装置に関する
【背景技術】
【０００２】
室内において、天井から垂下された物干竿に衣服を干したり、高所棚から昇降するラックを利用してキッチン用具などを収納する技術が知られている。例えば、特許文献１に示す技術は、天井から吊るすポールに重量センサを内蔵し、重量センサには、検知データを外部に送信する送信部を備えており、一方の空調機には、重量センサからの送信データを受信し、このデータをもとに空調機の制御を行う制御部を備えるものである。
【０００３】
特許文献２に示す技術は、洗面脱衣室内で洗濯物が取り付けられる物干し部材と、物干し部材の大部分が洗面脱衣室内の動作スペースに配置される洗濯物取付位置と、物干し部材の大部分が洗面脱衣室に設置されたパイプスペース、洗面台及び洗濯機の設置スペースに配置される位置であって、洗濯物取付位置よりも設置スペース側に位置する洗濯物干し位置と、の間で物干し部材を移動可能に支持する移動機構と、操作可能に構成され、操作に応じて移動機構により物干し部材を洗濯物取付位置と洗濯物干し位置との間で移動させる操作部材と、を具備するものである。
【０００４】
特許文献３に示す技術は、複数本の物干し竿を紐状体を介して昇降自在にした物干し装置において、物干し竿の高さを選択的に昇降自在とする昇降手段により調整可能とし、この昇降手段が操作ハンドルを介し、この操作ハンドルの回転力をギヤボックスを介して垂直杆に伝達し、この垂直杆の回転力をギヤ機構を介して第一水平杆に伝達し、さらにこの第一水平杆の回転力を第二水平杆に伝達し、第二水平杆の端部に巻取部を形成し、この巻取部に紐状体を垂下させ、この紐状体の下端に固着された物干し竿を第二水平杆の巻取部で巻回して昇降自在とするものである。
【０００５】
特許文献４に示す技術は、室内用物干し装置は、取付部に固定される物干し装置本体を備え、物干し装置本体は、天井に固定されるケースカバーと、このケースカバーの両側部にそれぞれ内設される紐状体巻取装置と、ケースカバーの少なくとも一側部に内設される操作装置と、紐状体巻取装置に巻き取られたり繰り出されたりする紐状体としての紐と、これら紐に結ばれて昇降する昇降体としての昇降竿と、を備えるものである。
【先行技術文献】
【特許文献】
【０００６】
【特許文献１】特開２０１６−０１４４８６号公報
【特許文献２】特開２０１６−１２９５５１号公報
【特許文献３】特開２００３−０９３７９７号公報
【特許文献４】特開２０１８−０６８９４１号公報
【考案の概要】
【考案が解決しようとする課題】
【０００７】
特許文献１に示す技術は、天井から垂下された物干竿に衣服を干すことが開示されているが、昇降機能がないため室内空間を効率的に利用することが難しく、洗濯物を干している状態では不便になってしまうという課題を有する。
【０００８】
特許文献２ないし４に示す技術は、いずれも物干竿の昇降機能を有するものであるが、特許文献２及び３に示す技術は昇降機能の構造が複雑であるため、設置やメンテナンスの多くの手間とコストが掛かってしまうという課題を有する。また、特許文献４には操作棒による回転や自動回転を行うことが記載されているが、操作棒による回転は非常に手間と時間が掛かってしまい、また自動回転には電源が必要となるため、配線工事やバッテリの設置が必須になってしまうという課題を有する。
【０００９】
本考案は、室内における天井から垂下した長尺状の支持体を非常にシンプルな構造と操作で昇降する支持装置を提供する。
【課題を解決するための手段】
【００１０】
本考案に係る支持装置は、天井に固着され、直線上に配置される２つ以上の第１天井支持部と、それぞれの前記第１天井支持部に連結し、第１紐状体を介して対象物を支持するための長尺体の両端部近傍を当該長尺体が水平状態を維持するように保持する第１保持部と、垂下された前記第１紐状体の前記第１保持部から前記長尺体までの長さを調整する第１調整手段を備えるものである。
【００１１】
このように、本考案に係る支持装置においては、２つ以上の第１天井支持部と、それぞれの第１天井支持部に連結し、第１紐状体を介して対象物を支持するための長尺体の両端部近傍を当該長尺体が水平状態を維持するように保持する第１保持部と、垂下された第１紐状体の第１保持部から長尺体までの長さを調整する第１調整手段を備えるため、天井から垂下した長尺体（例えば、棒状体の物干竿や板状体の棚等）の高さを自在に設定し、室内空間を有効的に利用することが可能になるという効果を奏する。
【００１２】
本考案に係る支持装置は、前記第１紐状体の一端が前記長尺体に接続し、他端が前記第１保持部のリールを介して前記第１調整手段に接続しているものである。
【００１３】
このように、本考案に係る支持装置においては、第１紐状体の一端が長尺体に接続し、他端が第１保持部のリールを介して第１調整手段に接続しているため、第１調整手段にて第１紐状体の伸長及び／又は短縮の操作を行うだけで、第１保持部のリールを介して長尺体の昇降を簡単に行うことができるという効果を奏する。
【００１４】
本考案に係る支持装置は、天井に固着され、前記第１天井支持部が配置される第１直線に平行な第２直線上に配置される２つ以上の第２天井支持部を備え、それぞれの前記第２天井支持部が、前記第１直線と前記第２直線との間の最短距離の長さ以下に設定された第２紐状体で前記長尺体を支持するものである。
【００１５】
このように、本考案に係る支持装置においては、第１天井支持部が配置される第１直線に平行な第２直線上に配置される２つ以上の第２天井支持部を備え、それぞれの第２天井支持部が、第１直線と第２直線との間の最短距離の長さ以下に設定された第２紐状体で長尺体を支持するため、第１調整手段による長尺体の昇降動作に伴って当該長尺体に第２紐状体がその長さを維持して作用することで、長尺体の上下方向の成分だけではなく第１直線に垂直な方向の成分についても動作させることが可能になり、室内空間をより有効的に活用することができるという効果を奏する。
【００１６】
本考案に係る支持装置は、天井に固着され、前記第１天井支持部が配置される第１直線に平行な第２直線上に配置される２つ以上の第２天井支持部と、それぞれの前記第２天井支持部に連結し、前記第２紐状体を介して前記長尺体を保持する第２保持部と、垂下された前記第２紐状体の前記第２保持部から前記長尺体までの長さを調整する第２調整手段を備えるものである。
【００１７】
このように、本考案に係る支持装置においては、第１天井支持部が配置される第１直線に平行な第２直線上に配置される２つ以上の第２天井支持部と、それぞれの第２天井支持部に連結し、第２紐状体を介して長尺体を保持する第２保持部と、垂下された第２紐状体の第２保持部から長尺体までの長さを調整する第２調整手段を備えるため、第１調整手段による第１紐状体の長さ調整に加えて、第２調整手段による第２紐状体の長さ調整を行うことが可能になり、室内空間をさらに自由に活用することが可能になるという効果を奏する。
【図面の簡単な説明】
【００１８】
【図１】第１の実施形態に係る支持装置の一例を示す模式図である。
【図２】第１の実施形態に係る支持装置の正面図である。
【図３】第２の実施形態に係る支持装置を長尺体の長手方向から見た場合の側面図である。
【図４】第２の実施形態に係る支持装置を長尺体の斜め下から見た場合の斜視図である。
【図５】第３の実施形態に係る支持装置を長尺体の長手方向から見た場合の第１の側面図である。
【図６】第３の実施形態に係る支持装置を長尺体の長手方向から見た場合の第２の側面図である。
【図７】第３の実施形態に係る支持装置を長尺体の長手方向から見た場合の第３の側面図である。
【図８】その他の実施形態に係る支持装置の構成を示す第１の図である。
【図９】その他の実施形態に係る支持装置の構成を示す第２の図である。
【考案を実施するための形態】
【００１９】
以下、本考案の実施の形態を説明する。また、本実施形態の全体を通して同じ要素には同じ符号を付けている。
【００２０】
（本考案の第１の実施形態）
本実施形態に係る支持装置について、図１及び図２を用いて説明する。本実施形態に係る支持装置は、室内の天井から垂下された長尺状の支持体で対象物を支持すると共に、この支持体を昇降させることで室内空間を有効的に活用するものである。具体的には、長尺状の物干竿や棚などの支持体を天井から垂下させて衣服や収納物などの対象物を支持すると共に長尺状の支持体を昇降させることで、物干や収納の作業性を向上させつつ室内空間を有効的に活用することが可能となる。
【００２１】
図１は、本実施形態に係る支持装置の一例を示す模式図であり、図１（Ａ）が物干竿の場合、図１（Ｂ）が収納棚の場合を示している。図２は、本実施形態に係る支持装置の一例を示す正面図である。図１及び図２において、支持装置１は、２つの固定部材（以下、第１天井固定部材２ａ，２ｂという）が天井に固定されており、この第１天井固定部材２ａ，２ｂに連結する第１保持部３ａ，３ｂを備えている。第１保持部３ａ，３ｂは、円周部分に中心方向に向かって凹みが形成された回動自在のリール状としてもよく、この凹み部分に第１紐状体４ａ，４ｂが巻回されることが望ましい。第１紐状体４ａの一端側（４ａ−１）は、長尺体５の一端側（５−１）に固定して接続され、そこから第１保持部３ａのリールの凹みに巻回されて、さらに保持部３ｂのリールの凹みを経由して他端側（４ａ−２）が第１調整部６に接続している。第１紐状体４ｂの一端側（４ｂ−１）は、長尺体５の他端側（５−２）に固定して接続され、そこから保持部３ｂのリールの凹に巻回されて、他端側（４ｂ−２）が第１調整部６に接続している。第１保持部３ａ，３ｂは、第１調整部６により所定の長さに調整された第１紐状体４ａ，４ｂにより長尺体５を水平状態に維持して保持する。
【００２２】
第１調整部６には、第１紐状体４ａ，４ｂのそれぞれの他端側（４ａ−２），（４ｂ−２）が接続されており、第１紐状体４ａ，４ｂを伸長又は短縮することで一端側（４ａ−１），（４ａ−２）に接続されている長尺体５を昇降させる。伸長又は短縮の方法としては、例えば図２に示すように、フックに引っ掛けた第１紐状体４ａ，４ｂを手動で伸長又は短縮してもよいし、ウインチや回転レバーで巻き取るようにしてもよい。
【００２３】
なお、図１及び図２においては、第１天井固定部材２ａ，２ｂの２つの固定部材を備える構成としたが、３つ以上であってもよい。その場合、それぞれの固定部材は直線上に配置されることが望ましい。
【００２４】
また、第１紐状体４ａは保持部３ｂを経由する構成としたが、必ずしも保持部３ｂを経由して第１調整部６に接続する必要はなく、第１調整部６が第１紐状体４ａ，４ｂを同時に伸長又は短縮した場合に、長尺体５の水平状態が維持されていればよい。
【００２５】
さらに、図２において、第１天井固定部材２ａ，２ｂと第１保持部３ａ，３ｂとはフックで連結する構成としているが、連結方法はフックに限らずそれぞれが接続できる構成であればよい。また、第１天井固定部材２ａ，２ｂと第１保持部３ａ，３ｂとは図２に示すように別体で構成されてもよいし、図１に示すように一体的に構成されてもよい。
【００２６】
このように、本実施形態に係る支持装置においては、２つ以上の第１天井固定部材２ａ，２ｂと、それぞれの第１天井固定部材２ａ，２ｂに連結し、第１紐状体４ａ，４ｂを介して対象物を支持するための長尺体５の両端部近傍を当該長尺体５が水平状態を維持するように保持する第１保持部３ａ，３ｂと、垂下された第１紐状体４ａ，４ｂの第１保持部３ａ，３ｂから長尺体５までの長さを調整する第１調整部６を備えるため、例えば、天井から垂下された棒状体の物干竿や板状体の棚等の長尺体５の高さを自在に設定し、室内空間を有効的に利用することが可能になる。
【００２７】
また、第１紐状体４ａ，４ｂの一端が長尺体５に接続し、他端が第１保持部３ａ，３ｂのリールを介して第１調整部６に接続しているため、第１調整部６にて第１紐状体４ａ，４ｂの伸長及び／又は短縮の操作を行うだけで、第１保持部３ａ，３ｂのリールを介して長尺体５の昇降を簡単に行うことができる。
【００２８】
（本考案の第２の実施形態）
本実施形態に係る支持装置について、図３及び図４を用いて説明する。本実施形態に係る支持装置は前記第１の実施形態に係る支持装置の構成に新たな構成を追加したものであり、第１天井固定部材２ａ，２ｂが配置される第１直線に平行な第２直線上に配置される２つ以上の第２天井固定部材１２ａ，１２ｂを備えており、それぞれの第２天井固定部材１２ａ，１２ｂが、第１直線と第２直線との間の最短距離の長さ以下に設定された第２紐状体１４ａ，１４ｂで長尺体５を支持するものである。なお、本実施形態において前記第１の実施形態と重複する説明は省略する。
【００２９】
図３は、本実施形態に係る支持装置を長尺体の長手方向から見た場合の側面図であり、図３（Ａ）は第１調整部６で第１保持部３ａ，３ｂから長尺体５までの距離を短くした場合の態様を示し、図３（Ｂ）は第１調整部６で第１保持部３ａ，３ｂから長尺体５までの距離を長くした場合の態様を示している。図４は、図３のそれぞれ場合において斜め下から見た場合の斜視図である。
【００３０】
図３（Ａ）及び図４（Ａ）において、第１保持部３ａ，３ｂから長尺体５までの距離を短くした場合は、前記第１の実施形態の場合と同じで天井に近い位置（高い位置）で長尺体５が保持され、例えば脱衣所における洗濯機の上部空間などに対象物となる衣類などを干しておくことが可能となる。図３（Ａ）及び図４（Ａ）の場合は、第２紐状体１４ａ，１４ｂの長さが第１直線と第２直線との最短距離とほぼ同じ長さに設定されており、第１調整部６が第１保持部３ａ，３ｂから長尺体５までの距離を短くした場合は、第１天井固定部材２ａ，２ｂの直下あたりの位置に長尺体５が保持される。また、第２紐状体１４ａ，１４ｂの長さが、第１直線と第２直線との最短距離よりも短い長さであれば、長尺体５を図３（Ａ）、図４（Ａ）の位置よりも第２天井固定部材１２ａ，１２ｂに近い位置に保持することも可能であり、室内空間の利用状態に応じて第２紐状体１４ａ，１４ｂの長さが任意に設定されることが望ましい。
【００３１】
一方、図３（Ｂ）及び図４（Ｂ）に示すように、第１保持部３ａ，３ｂから長尺体５までの距離を長くした場合は、第２紐状体１４ａ，１４ｂによる張力が作用することで長尺体５が円弧状にスライド移動する。例えば、図３（Ｂ）及び図４（Ｂ）に示すような位置で第１紐状体４ａ，４ｂの長さを調整したとすると、洗濯機が邪魔になることなく広いスペースで、且つ低い位置で洗濯物などを長尺体５に掛けることが可能となる。すなわち、例えば洗濯物を長尺体５に掛ける作業の場合は、室内の中央付近の広いスペースで且つ低い位置で行うことで作業効率を向上させると共に、洗濯物を乾かす場合（放置状態にする場合）は、室内空間のデッドスペースになりがちな領域をうまく活用することで、日常生活の邪魔になることなく効率よく室内空間を利用することができる。
【００３２】
なお、図３（Ｂ）及び図４（Ｂ）において第１調整部６がさらに第１紐状体４ａ，４ｂを伸長した場合は、長尺体５を円弧に沿って更に下方で且つ第２天井固定部材１２ａ，１２ｂに近い位置に保持することが可能となる。また、洗濯物を干す以外にも、長尺体５を棚として利用することで、例えば洗剤や柔軟剤などを保管し、洗濯の際に使用する場合だけ長尺体５を降ろすことも可能である。
【００３３】
さらに、第１紐状体４ａ，４ｂ及び第２紐状体１４ａ，１４ｂを長尺体５に固定して接続する際に、長尺体５の軸を中心とする回転体であって当該軸を中心に回動自在に設置された回転体（図示しない）に固定されることが望ましい。すなわち、本実施形態に係る支持装置においては、図３及び図４に示すように、長尺体５の長手方向から見て上下方向のみではなく左右方向への移動も伴うため、第１紐状体４ａ，４ｂ及び第２紐状体１４ａ，１４ｂが固定される回転体を長尺体５の軸を中心に回動自在とすることで、長尺体５への負荷を軽減し、劣化を防止して長持ちすることができる。
【００３４】
このように、本考案に係る支持装置１においては、第１天井固定部材２ａ，２ｂが配置される第１直線に平行な第２直線上に配置される２つ以上の第２天井固定部材１２ａ，１２ｂを備え、それぞれの第２天井固定部材１２ａ，１２ｂが、第１直線と第２直線との間の最短距離の長さ以下に設定された第２紐状体１４ａ，１４ｂで長尺体５を支持するため、第１調整部６による長尺体５の昇降動作に伴って当該長尺体５に第２紐状体１４ａ，１４ｂがその長さを維持して作用することで、長尺体５の上下方向の成分だけではなく第１直線に垂直な方向の成分についても動作させることが可能になり、室内空間をより有効的に活用することができる。
【００３５】
（本考案の第３の実施形態）
本実施形態に係る支持装置について、図５ないし図７を用いて説明する。本実施形態に係る支持装置は前記第２の実施形態に係る支持装置の構成に新たな構成を追加したものであり、第２天井固定部材１２ａ，１２ｂに連結し、第２紐状体１４ａ，１４ｂを介して長尺体５を保持する第２保持部１３ａ，１３ｂと、垂下された第２紐状体１４ａ，１４ｂの第２保持部１３ａ，１３ｂから長尺体５までの長さを調整する第２調整部１６を備えるものである。なお、本実施形態において前記各実施形態と重複する説明は省略する。
【００３６】
本実施形態に係る支持装置は、前記第２の実施形態に係る支持装置において、第２天井固定部材１２ａ，１２ｂに第２保持部１３ａ，１３ｂが連結されており、第２保持部１３ａ，１３ｂから長尺体５までの長さが調整可能になっている。すなわち、第１紐状体４ａ，４ｂ及び第２紐状体１４ａ，１４ｂの双方について、それぞれの保持部から長尺体５までの長さを自由に調整することが可能になることで、洗濯物などの支持対象物を任意の位置に留めることができ、室内空間をより自由に使うことができる。
【００３７】
具体的には、例えば図５（図５（Ａ）は洗濯物を高い位置に配置した場合、図５（Ｂ）は洗濯物を低い位置に配置した場合）において、第１天井固定部材２ａ，２ｂの下方の領域を活用することが可能となっている。このとき、第２紐状体１４ａ、１４ｂは長尺体５の支持にあまり関与していない状態の長さに調整されていることとなる。
【００３８】
本実施形態においては、この図５の状態から調整部を操作することで、図６の状態（図６（Ａ）は洗濯物を高い位置に配置した状態、図６（Ｂ）は洗濯物を低い位置に配置した状態）に遷移することが可能となっている。図６においては、第２天井固定部材１２ａ，１２ｂの下方の領域を活用することが可能となっている。このとき、第１紐状体４ａ、４ｂは長尺体５の支持にあまり関与していない状態の長さに調整されていることとなる。
【００３９】
さらに、図７のような状態（図７（Ａ）は洗濯物を高い位置に配置した状態、図７（Ｂ）は洗濯物を低い位置に配置した状態）に遷移することが可能となっている。図７においては、調整部を操作することでそれぞれの保持部から長尺体までの第１紐状体４ａ，４ｂ及び第２紐状体１４ａ，１４ｂの長さを略同一とすることで、第１天井固定部材２ａ，２ｂと第２天井固定部材１２ａ，１２ｂとの中間の下方領域を活用することが可能となっている。このとき、第１紐状体４ａ、４ｂ及び第２紐状体１４ａ、１４ｂは長尺体５をほぼ均等に支持していることとなる。
【００４０】
このように、本実施形態に係る支持装置１においては、第１天井固定部材２ａ，２ｂが配置される第１直線に平行な第２直線上に配置される２つ以上の第２天井固定部材１２ａ，１２ｂと、それぞれの第２天井固定部材１２ａ，１２ｂに連結し、第２紐状体１４ａ，１４ｂを介して長尺体５を保持する第２保持部１３ａ，１３ｂと、垂下された第２紐状体１４ａ，１４ｂの第２保持部１３ａ，１３ｂから長尺体５までの長さを調整する第２調整部１６を備えるため、第１調整部６による第１紐状体４ａ，４ｂの長さ調整に加えて、第２調整部１６による第２紐状体１４ａ，１４ｂの長さ調整を行うことが可能になり、室内空間をさらに自由に活用することが可能になる。
【００４１】
（その他の実施形態）
上記各実施形態に係る支持装置の変形例について図８及び図９を用いて説明する。図８は、天井にボックス１７が取り付けられており、そのボックス１７内に支持装置１が配設されている。調整部６により第１紐状体４ａ，４ｂの長さを調整することで、長尺体５をボックス１７から垂下させたり、ボックス１７内に収納することが可能となっている。第１天井固定部材２ａ，２ｂや保持部３ａ，３ｂが外側に露出しない構成となっているため、非常にスッキリした外観となり、室内の景観を保つことが可能となっている。
【００４２】
図９は、床と天井との間で突っ張り棒１８ａ，１８ｂを配設し、その突っ張り棒１８ａ，１８ｂに対して水平方向に支持棒１９が設置されている。第１天井固定部材２ａ，２ｂはその支持棒１９を天井に見立てて固定されている。このような突っ張り棒１８ａ，１８ｂを用いることで、第１天井固定部材２ａ，２ｂを天井に直接固定できないような環境であっても、本考案に係る支持装置１を使用することが可能となる。
【符号の説明】
【００４３】
１  支持装置
２ａ，２ｂ  第１天井固定部材
３ａ，３ｂ  第１保持部
４ａ，４ｂ  第１紐状体
５  長尺体
６  第１調整部
１２ａ，１２ｂ  第２天井固定部材
１３ａ，１３ｂ  第２保持部
１４ａ，１４ｂ  第２紐状体
１６  第２調整部
１７  ボックス
１８ａ，１８ｂ  突っ張り棒
１９  支持棒
【図１】
0003225289.tif 000003
【図２】
0003225289.tif 000004
【図３】
0003225289.tif 000005
【図４】
0003225289.tif 000006
【図５】
0003225289.tif 000007
【図６】
0003225289.tif 000008
【図７】
0003225289.tif 000009
【図８】
0003225289.tif 000010
【図９】
0003225289.tif 000011
【手続補正書】
【提出日】令和1年12月18日(2019.12.18)
【手続補正１】
【補正対象書類名】実用新案登録請求の範囲
【補正対象項目名】請求項４
【補正方法】変更
【補正の内容】
【請求項４】
請求項３に記載の支持装置において、
それぞれの前記第２天井支持部に連結し、前記第２紐状体を介して前記長尺体を保持する第２保持部と、
前記第２紐状体の前記第２保持部から前記長尺体までの長さを調整する第２調整手段とを備える支持装置。